(57)【要約】  本発明の接続要素（１０）は、中空円筒形シャフト（１２）と、シャフト（１２）を一方向に回転駆動することができるドライブ（１６）とを有し、中空円筒形シャフト（１２）は、少なくとも１つの自由端を有し、ドライブ（１６）は、自由端の反対側に配置され、中空円筒形シャフト（１２）によって中空空間が形成されている。そして、中空円筒形シャフト（１２）の円周方向に作用するドライバ構造（２２）が、中空空間に配置されている。ドライバ構造（２２）は、要素中心軸（Ｍ）に平行または側面（２０）に投影された要素中心軸（Ｍ）に対して最大２０°の角度偏差で、直線的に設定方向に側面（２０）上を延びるように配置され、および/または、ドライブ側端に配置されている。【選択図】図１Ａ
2021529671.tif 000002
【特許請求の範囲】
【請求項１】
中空円筒形シャフト（１２,４２,７６）と、前記シャフト（１２,４２,７６）を一方向に回転駆動することができるドライブ（１６）とを有し、前記中空円筒形シャフト（１２,４２,７６）は、少なくとも１つの自由端を有し、前記ドライブ（１６,４８）は、前記自由端の反対側に配置され、前記中空円筒形シャフト（１２,４２,７６）内には、中空空間が形成されている、接続要素（１０,３０,４０,５８,７８）であって、
前記中空円筒形シャフト（１２）の円周方向に作用するドライバ構造（２２,３２）が、前記中空空間に配置されており、
前記ドライバ構造は、要素中心軸（Ｍ）に平行または側面（２０）に投影された要素中心軸（Ｍ）に対して最大２０°の角度偏差で、直線的に設定方向に側面（２０）上を延びるように配置され、および/または、前記ドライブ側端に配置されている
ことを特徴とする接続要素。
【請求項２】
請求項１に記載の接続要素において、
前記シャフト（１２,４２,７６）に接続される肩部（１８,４４）を備えている
ことを特徴とする接続要素。
【請求項３】
請求項２に記載の接続要素において、
前記肩部（１８,４４）は、前記シャフトの端部を形成するヘッド（４６）の一部である
ことを特徴とする接続要素。
【請求項４】
請求項２に記載の接続要素において、
前記肩部（１８）は、最小径が少なくとも中空円筒形シャフト（１２）の内径に対応する中央の凹部（２４）を有する環状肩部（１８）として設計されている
ことを特徴とする接続要素。
【請求項５】
請求項４に記載の接続要素において、
前記中央の凹部（２４）は、その直径が前記シャフト（１２）の前記自由端から離れる方向に増加するように設計されている
ことを特徴とする接続要素。
【請求項６】
請求項２乃至４の何れか１項に記載の接続要素において、
前記ドライブ（１６,４８）は、前記ヘッド（４６）および／または前記肩部（１８）に形成されている
ことを特徴とする接続要素。
【請求項７】
請求項３乃至６の何れか１項に記載の接続要素において、
前記ドライブ側端に配置された前記ドライバ構造は、前記ヘッドの下側に形成されている
ことを特徴とする接続要素。
【請求項８】
前述の請求項の何れか１項に記載の接続要素において、
前記要素中心軸に平行に直線的に前記側面上を延びる、または、前記側面に投影された前記要素中心軸に対して２０°の角度偏差で直線的に前記側面上を延びる前記ドライバ構造は、隆起部分（２２）の形で設けられている
ことを特徴とする接続要素。
【請求項９】
前述の請求項の何れか１項に記載の接続要素において、
前記要素中心軸に平行に直線的に前記側面上を延びる、または、前記側面に投影された前記要素中心軸に対して２０°の角度偏差で直線的に前記側面上を延びる前記ドライバ構造は、溝（３２）の形で設けられている
ことを特徴とする接続要素。
【請求項１０】
前述の請求項の何れか１項に記載の接続要素において、
特に面取り（２６）の形の刃先を前記自由端に備えている
ことを特徴とする接続要素。
【請求項１１】
前述の請求項の何れか１項に記載の接続要素において、
鉄金属、とりわけ鋼で形成されている
ことを特徴とする接続要素。
【請求項１２】
ベース層（５２,７２）とその上に配置された最上層（５４,７４）とを含む２つの部品層（５２,５４,７２,７４）間の部品接続の生産方法であって、
中空円筒形シャフト（１２,４２,７６）を有する接続要素（１０,３０,４０,５８,７８）が、回転および軸力の下、前記最上層（５４,７４）に打ち込まれ、
前記シャフトの内部によって前記最上層（５４,７４）からスラグ（６２,８２）が切りだされて前記接続要素の回転によって同伴され、
回転および接触圧力の下、前記スラグ（６２,８２）が前記ベース層（５２,７２）に溶接され、
前記接続要素（１０,３０,４０,５８,７８）の少なくとも一部が、前記ベース層（５２,７２）に押し込まれる
ことを特徴とする部品接続の生産方法。
【請求項１３】
請求項１２に記載の部品接続の生産方法において、
前記スラグ（６２,８２）が所定位置に溶接されるまで前記接続要素（１０,３０,４０,５８,７８）が駆動される速度は、少なくとも２０００ｒｐｍである
ことを特徴とする部品接続の生産方法。
【請求項１４】
請求項１３に記載の部品接続の生産方法において、
前記接続要素（１０,３０,４０,５８,７８）が前記ベース層（５２,７２）の表面に到達するまで前記スラグ（６２,８２）が切られるときに前記接続要素（１０,３０,４０,５８,７８）の変形を確実に防止するように、前記接続要素（１０,３０,４０,５８,７８）が切断のために適切な速度と軸力で適用される第１工程が実行される
ことを特徴とする部品接続の生産方法。
【請求項１５】
請求項１４に記載の部品接続の生産方法において、
前記スラグ（６２,８２）を回転し続けながら溶接するための軸力を前記スラグ（６２,８２）に加えることによって、前記切り出されたスラグ（６２,８２）が前記ベース層（５２,７２）に溶接される第２工程が実行され、
前記溶接するための工具によって加えられる前記軸力は、切断するために加えられる前記軸力と比べて増大している
ことを特徴とする部品接続の生産方法。
【請求項１６】
請求項１５に記載の部品接続の生産方法において、
前記接続要素（１０,３０,４０,５８,７８）は、その挿入方向と反対の端部で前記中空円筒形シャフト（１２,４２,７６）を閉じるヘッドを有し、
前記接続要素の前記ヘッドは、溶接するための軸力を前記スラグ（６２,８２）に加える
ことを特徴とする部品接続の生産方法。
【請求項１７】
請求項１５に記載の部品接続の生産方法において、
前記接続要素（１０,３０,４０,５８,７８）は、少なくとも前記中空円筒形シャフト（１２,４２,７６）の内面の上方で挿入方向に対して開いており、
前記接触圧力は、前記接続要素（１０,３０,４０,５８,７８）に前記接触圧力を加える設定ツールによって前記スラグ（６２,８２）に加えられる
ことを特徴とする部品接続の生産方法。
【請求項１８】
請求項１５乃至１７の何れか１項に記載の部品接続の生産方法において、
前記ベース層（５２，７２）および／または前記最上層（５４,７４）に対して前記軸方向に確実な接続を生成するために、前記接続要素（１０,３０,４０,５８,７８）および前記スラグ（６２,８２）に作用する前記溶接軸力は、リベット軸力と比較して増大し、速度は減速する
ことを特徴とする部品接続の生産方法。
【請求項１９】
請求項１８に記載の部品接続の生産方法において、
前記接続要素（１０,３０,４０,５８,７８）は、少なくとも前記中空円筒形シャフト（１２,４２,７６）の内面の上方で挿入方向に対して開いており、
前記接触圧力は、前記接続要素（１０,３０,４０,５８,７８）に前記接触圧力を加える設定ツールによって前記スラグ（６２,８２）に加えられ、
挿入方向の反対側に位置する前記スラグ（６２,８２）の端部は、フレア状になる
ことを特徴とする部品接続の生産方法。
【請求項２０】
ベース層（５２,７２）およびその上に配置された少なくとも１つの最上層（５４,７４）と、中空円筒形シャフト（１２,４２,７６）および前記シャフト（１２,４２,７６）を回転方向に駆動するドライブを有する接続要素（１０,３０,４０,５８,７８）とを備え、前記中空円筒形シャフト（１２,４２,７６）は少なくとも１つの自由端を有し、前記ドライブは前記自由端の反対側の端部に配置され、前記中空円筒形シャフト（１２,４２,７６）によって中空空間が形成され、前記中空円筒形シャフト（１２,４２,７６）の一部は前記ベース層（５２,７２）によって完全に囲まれており、前記中空円筒形シャフト（１２,４２,７６）の内部によって前記最上層（５４,７４）からスラグ（６１,８２）が切り出される、部品接続であって、
前記中空空間には、前記ベース層と前記スラグ（６１,８２）との間に材料接続が存在する
ことを特徴とする部品接続。
【請求項２１】
請求項２０に記載の部品接続において、
前記中空円筒形シャフトの円周方向に作用するドライバ構造が、前記中空空間に配置され、
前記ドライバ構造は、前記スラグの材料によって囲まれている
ことを特徴とする部品接続。
【請求項２２】
請求項２０または２１に記載の部品接続において、
軸方向に作用する確実な接続は、前記最上層（５４,７４）から突出する前記スラグ（６２,８２）の半径方向に変位した材料が前記最上層（５４,７４）および／または前記接続要素（１０,３０,４０,５８,７８）上にカラーを形成することによって生成される
ことを特徴とする部品接続。
【請求項２３】
請求項２０または２１に記載の部品接続において、
軸方向に作用する確実な接続は、前記接続要素（１０,３０,４０,５８,７８）と前記最上層（５４,７４）との確実な適合、および前記ベース層の前記接続要素（１０,３０,４０,５８,７８）の確実な適合によって生成される
ことを特徴とする部品接続。
【請求項２４】
請求項２０乃至２３の何れか１項に記載の部品接続において、
前記ベース層（５２,７２）との確実な接続は、挿入方向に延びる前記接続要素（１０,３０,４０,５８,７８）の前記自由端をフレア加工することによって生成される
ことを特徴とする部品接続。
【請求項２５】
請求項２０乃至２４の何れか１項に記載の部品接続において、
前記接続要素（１０,３０,４０,５８,７８）は、前記ベース層（５２,７２）および前記最上層（５４,７４）よりも高い強度を有している
ことを特徴とする部品接続。
【請求項２６】
請求項２０乃至２５の何れか１項に記載の部品接続において、
前記ベース層および前記最上層（５４,７４）は非鉄金属で作られ、前記接続要素は鋼または非鉄金属で作られている
ことを特徴とする部品接続。
【請求項２７】
請求項２０乃至２５の何れか１項に記載の部品接続において、
前記ベース層および前記最上層（５４,７４）は熱可塑性材料で作られ、前記接続要素はプラスチック材料、鋼または非鉄金属で作られている
ことを特徴とする部品接続。
【請求項２８】
請求項２０乃至２７の何れか１項に記載の部品接続において、
前記接続要素は、請求項１乃至１１の何れか１項に記載された形式の接続要素である
ことを特徴とする部品接続。
【発明の詳細な説明】
【技術分野】
【０００１】
本発明は、請求項１の前段部分で特定された接続要素、請求項１２の前段部分で特定された部品接続の生産方法および請求項２１の前段部分で特定された部品接続に関する。
【背景技術】
【０００２】
２つの重ねられた部品層を接続するために用いられる接続要素は、従来技術で知られている。これらの接続要素は、半管状のセルフピアスリベットとしても知られている。特許文献１は、回転駆動されるような半管状のセルフピアスリベットを開示しており、その回転により、リベットとベース層との間の接触領域が加熱され、リベットがベース層を貫通しやすくなる。さらに、リベット内に保持されたスラグの軸方向の緩みを防ぐために、接続要素の中空空間に保持構造が設けられている。
【先行技術文献】
【特許文献】
【０００３】
【特許文献１】米国特許出願公開第２０１６／０３３２２１５号明細書
【発明の概要】
【発明が解決しようとする課題】
【０００４】
本発明の目的は、重ねられた部品層のせん断強度を高める部品接続を生産するための接続要素を提供することである。
【課題を解決するための手段】
【０００５】
それ自体は知られている方法で、接続要素は、シャフトと、前記シャフトを一方向に回転駆動することができるドライブとを有し、中空円筒形の前記シャフトは、少なくとも１つの自由端を有し、前記ドライブは、前記自由端の反対側に配置されている。前記中空円筒形シャフト内には、中空空間が形成されている。
【０００６】
本発明によれば、前記中空円筒形シャフトの円周方向に作用するドライバ構造が、前記中空空間に配置されている。側面では、これらのドライバ構造は、要素軸に平行に直線的に延びるか、側面に投影された要素軸に対して２０°以下の角度偏差で直線的に延びており、および/または前記ドライバ構造はドライブ側端に配置されている。
【０００７】
ドライバ構造は、中空円筒形シャフトによって部品接続の最上層からスラグ片を切り取り、シャフトと一緒にスラグを回転させるために使用される。これにより、スラグを接続要素と一緒に回転させると、スラグをベース層に溶接することができる。ベース層に溶接されたスラグは最上層内に延びているため、せん断方向に明確な接続が生成される。これにより、ベース層と最上層との間のせん断強度が著しく増大する。
【０００８】
好ましくは、接続要素は、シャフトに接続される肩部を有する。これにより、前述の確実な接続に加えて、最上層と肩部との間に接続要素の縦軸に沿った確実な接続も生成される。これにより、横方向だけでなく縦方向にも２つの部品が強力に接続され、これは、特に、スラグの溶接後のリベット締め工程でシャフトがベース層でフレア状になっている場合に顕著である。
【０００９】
第１の実施形態では、肩部は、シャフトを閉じるヘッドの一部であり得る。これは、特に回転可能な半管状のセルフピアスリベットに似たシンプルなデザインである。
【００１０】
あるいは、肩部は、その最小径が少なくとも中空円筒形シャフトの内径に対応する中央の凹部を有する環状肩部の形状に設計することもできる。結果として、スラグ材料が中空円筒形シャフトを上方に通過することを可能にしながら、環状カラーと最上層との間に確実な接続を生成することができる。その中で上昇した材料は、その後、ヘッドを形成するために再利用することができる。したがって、概して言えば、部品接続に入る材料の量は少なく、その結果、全体の取り付け高さが低くなる。
【００１１】
中央の凹部は、その直径がシャフトの自由端から離れる方向に増加するように設計されることが好ましい。これにより、スラグの材料を収容するためのより大きな容積が生成され、そのため、軸方向の力が作用したときに最上層の方向により容易に押すことが可能な幾何学的形状に肩部を生成することができる。
【００１２】
好ましくは、ドライブは、ヘッドおよび／または肩部に形成される。これにより、特に回転運動を効率的に伝達することができる。
【００１３】
別の好ましい実施形態によれば、ドライブ側端に配置されたドライバ構造は、ヘッドの下側に形成されている。
【００１４】
特に有利な方法で、要素の中心軸に平行に直線的に側面上を延びる、または、側面に投影された要素の中心軸に対して２０°の角度偏差で直線的に側面上を延びるドライバ構造は、隆起した設計である。これには、隆起した構造がスラグの壁に押し込みやすく、そのため、信頼性の高いスラグの回転同調が保証されるという利点がある。隆起した設計のドライバ構造を断面で見た場合、半径方向にさらに内側にある平坦は、半径方向にさらに外側にある平坦よりも小さい領域である。
【００１５】
隆起したドライバ構造に加えて、またはその代わりに、要素の中心軸に平行に直線的に側面に延びる、または、側面に投影された要素の中心軸に対して２０°の角度偏差で側面に延びるドライバ構造は、溝の形で設計することができる。
【００１６】
別の好ましい実施形態によれば、特に、面取りの形の刃先を自由端に備えることができる。これにより、一方では最上層からスラグを切り出すことが容易になり、他方では接続要素がベース層に浸透しやすくなり、その層で自由端はフレア加工するために変形工程にかけられる。
【００１７】
特に、接続要素は、鉄金属、とりわけ鋼で形成されている。
【００１８】
本発明による接続要素の全長は、中空円筒形シャフトの外径の２．５倍未満であり、特に１０ｍｍ未満であることが好ましい。
【００１９】
本発明のさらに別の態様によれば、それは、ベース層とその上に配置された最上層とを含む２つの部品層間の部品接続の生産方法に関する。この方法では、中空円筒形シャフトを有する接続要素に軸力が作用して、要素を回転させて最上層に打ち込む。シャフトの内部は、最上層からスラグを切り取り、スラグは、回転するときに接続要素内に同伴される。回転するときに下向きの力がスラグに作用し、スラグがベース層に溶接され、その後、接続要素の少なくとも一部がベース層に押し込まれる。
【００２０】
好ましくは、スラグが溶接されるまで接続要素が駆動される速度は、少なくとも２０００ｒｐｍである。
【００２１】
この目的のために、接続要素は、ドライバ構造の有無にかかわらず、半中空シャフトまたは中空シャフトを有することができる。
【００２２】
本発明による生産方法のさらなる開発において、接続要素を、特に５０００ｒｐｍを超える高速で、特に３ｋＮ未満の軸力で、シャフト上に配置する、少なくとも第１工程を含むことができる。これにより、接続要素がベース層の表面に到達するまでスラグが切り取られるときに、接続要素の変形を確実に防ぐことができる。
【００２３】
本発明によれば、スラグが回転し続けるときにスラグに軸方向の下向きの力を加えることによって切り出しスラグをベース層に溶接し、同時に、工具によって加えられる軸力を初期力と比較して増大させる、第２工程をさらに実行することができる。この力は、６ｋＮを超えることが好ましい。速度は、最初の段階と同じにする、または、スラグと下部の部品層との間の滑りを大幅に防ぐために減速することができる。
【００２４】
第２工程は、初期位置から開始した接続要素が、軸方向に最上層の厚さを通過したときに１回開始することができる。
【００２５】
押圧力は、その駆動方向と反対の中空円筒形シャフトを閉じるヘッドを有する接続要素に加えることができ、そこから、この力は、接続要素のヘッドを介してスラグに加えられる。
【００２６】
本発明によれば、接続要素はさらに、少なくとも中空円筒形シャフトの中空空間の上方で駆動方向に対して開いており、押圧力は、接続要素に押圧力を加える設定ツールによってスラグに直接加えられる。
【００２７】
さらに、本発明によれば、第３工程を実行することができる。第３工程は、第２工程に続いて、または第１工程の直後に実行することができる。この工程では、接続要素およびスラグは、特に８ｋＮを超える軸力を受け、この軸力は、第２工程の摩擦軸方向の力と比較して増加し、速度は特にゼロまで減速する。これにより、接続要素をベース層および／または最上層に対して軸方向に確実に接続することができる。好ましくは、第２工程が完了し、第３工程は、ヘッドがトップボードと接触する直前に、特にヘッドの下側が、最上層から１／１０ｍｍから５／１０ｍｍの間隔を置いているときに開始される。したがって、部品層の既知の厚さおよび接続要素の寸法に基づいて、相対移動距離を事前に計算することができる。第３段階は、好ましくは、０．１秒から０．５秒の間である特定の期間の後に完了する。
【００２８】
特に第１および第２工程において、軸力および速度は、可能な限り一定に維持することを目的として調整される。同様の調整が、第３工程で実行される。このようなアプローチにより、接続要素が軸力および回転の下で部品接続を貫通する。
【００２９】
接続要素が少なくとも中空円筒形シャフトの中空空間の上方で挿入方向に対して開いていて、接触圧力を接続要素に加える設定ツールによって接触圧力がスラグに直接加えられる場合、スラグを挿入方向と反対の端でフレア加工させる。このようにして、スラグと最上層との間に確実な接続を生成することができる。この場合、スラグは、間接的に、すなわち接続要素を介して、最上層に確実に接続するか、または直接的に最上層に確実に接続することができる。
【００３０】
本発明による方法は、好ましくは、マグネシウム合金の少なくとも１つの層および／またはアルミニウム合金の少なくとも１つの層、特にＡｌ５ｘｘｘ、Ａｌ６ｘｘｘまたはＡｌ７ｘｘｘを含む部品接続を生産するために使用される。この目的のために、第１工程では、約２ｋＮの軸力で約８０００ｒｐｍの速度が設定され、第２工程では、約８ｋＮの軸力で約５０００ｒｐｍの速度が設定される。第３工程では、軸力が約９ｋＮに調整され、速度がゼロに調整される。この配置では、接続要素は鋼であることが好ましい。この文脈での「約」とは、プラスマイナス２０％の偏差を意味する。
【００３１】
さらに本発明は、ベース層およびその上に配置された少なくとも１つの最上層と、中空円筒形シャフトおよびシャフトを回転方向に駆動することができるドライブを有する接続要素とを含む部品接続に関する。中空円筒シャフトは自由端を有しており、ドライブはシャフトの自由端の反対側の端部に配置されている。中空円筒形シャフトによって中空空間が形成される。
【００３２】
シャフトの自由端にある中空円筒形シャフトの一部は、ベース層によって完全に囲まれており、中空円筒形シャフトの内部は、最上層から切り出されたスラグを収容している。
【００３３】
接続要素の中空空間には、ベース層とスラグとの間に材料接続が存在する。
【００３４】
好ましくは、中空円筒形シャフトの円周方向に作用するドライバ構造は、中空空間に配置され、そのドライバ構造は、スラグの材料によって囲まれ、さらに、ベース層とスラグとの間に材料接続が存在する。
【００３５】
好ましくは、部品接続は、最上層を越えて軸方向に突出するスラグの半径方向に変位した材料を、最上層および／または接続要素への確実な接続を提供するカラーに成形することによって作成される軸方向に作用する確実な接続を含むことができる。
【００３６】
別の有利な実施形態によれば、軸方向に作用する確実な接続は、接続要素と最上層との確実な適合、およびベース層の接続要素の確実な適合によって達成することができる。
【００３７】
特に、ベース層への確実な接続は、挿入方向に面する接続要素の自由端をフレア加工することによって達成される。
【００３８】
接続要素は、ベース層および最上層よりも高い強度を有している。これにより、スラグは確実に最上層から切り出され、接続要素はベース層を貫通することができる。
【００３９】
原則として、ベース層および最上層は非鉄金属で作ることができ、接続要素は鋼または非鉄金属で作ることができる。
【００４０】
あるいは、ベース層および最上層、または最上層のみは熱可塑性材料で作ることができ、接続要素はプラスチック材料、鋼または非鉄金属で作ることができる。
【００４１】
特に有利な実施形態において、部品接続の接続要素は、上記の設計のものである。
【００４２】
本発明の追加の利点、特徴および可能な用途は、図面に示されている実施形態を参照する以下の説明から収集することができる。
【図面の簡単な説明】
【００４３】
【図１】図１は、本発明による接続要素の側面図である。
【図１Ａ】図１Ａは、図１に見られる本発明による接続要素の断面図である。
【図１Ｂ】図１Ｂは、図１の接続要素のシャフトを横断する断面図である。
【図２】図２は、カラーを備えた図１の接続要素を上から見た斜視図である。
【図３】図３は、本発明による接続要素の別の実施形態の側面図である。
【図３Ａ】図３Ａは、図３に見られる接続要素の断面図である。
【図３Ｂ】図３Ｂは、図３の接続要素のシャフトを横断する断面図である。
【図４】図４は、本発明による別の接続要素の側面図である。
【図４Ａ】図４Ａは、図４に見られる接続要素の断面図である。
【図４Ｂ】図４Ｂは、図４の接続要素を横断する断面図である。
【図５Ａ】図５Ａは、図１に示す本発明による接続要素を用いた部品接続の生産における第１工程の図である。
【図５Ｂ】図５Ｂは、図１に示す本発明による接続要素を用いた部品接続の生産における第２工程の図である。
【図５Ｃ】図５Ｃは、図１に示す本発明による接続要素を用いた部品接続の生産における第３工程の図である。
【図６Ａ】図６Ａは、図４に示す本発明による接続要素を用いた部品接続の生産における第１工程の図である。
【図６Ｂ】図６Ｂは、図４に示す本発明による接続要素を用いた部品接続の生産における第２工程の図である。
【図６Ｃ】図６Ｃは、図４に示す本発明による接続要素を用いた部品接続の生産における第３工程の図である。
【発明を実施するための形態】
【００４４】
図１の側面図は、ベース層をその上に配置された最上層に接続するための本発明による接続要素１０を示す。接続要素１０は、自由端１４と、自由端１４の反対側の端部に設けられたドライブ１６とを有する中空円筒形シャフト１２を含む。ドライブ１６は、外付けドライブとして設計されており、対応する確実なロック構造を有する。以下の図を参照しながら、接続要素１０についてより詳細に説明する。
【００４５】
図１Ａは、接続要素１０の断面図である。この図に示されているのは、中空円筒形シャフト１２と、ドライブ１６が形成されたカラー１８である。中空円筒形シャフト１２は、その内側側面２０にリブ２２を有しており、この例では、リブは、中空円筒形シャフト１２の全長に亘って延びている。接続要素１０のリブ２２は、接続要素１０の回転動作時に最上層から除去されたスラグを同伴するように機能する。接続要素の回転動作にスラグを巻き込むことにより、摩擦溶接工程においてスラグをベース層に一体的に結合することができる。
【００４６】
中空円筒形シャフト１２の自由端１４には、最上層の貫通を容易にし、必要に応じて、中空円筒形シャフト１２がベース層の変形工程でフレア加工することを可能にする面取り２６が設けられている。
【００４７】
この図は、接続要素１０の要素中心軸Ｍに平行に延びるリブ２２も示している。
【００４８】
図１Ｂは、接続要素１０のシャフト１２を通るＢ−Ｂ線に沿って切断された断面図である。この図に見られるように、本実施形態は、側面２０に設けられた３つのリブ２２を有する。これらのリブ２２は、接続要素の回転動作において最上層から打ち抜かれたスラグを同伴するように作用し、その結果、スラグと前面側のベース層との間に溶接接合が行われるようにする。
【００４９】
図１Ａは、接続要素１０が完全に中空であることを明確に示している。したがって、カラー１８は、シャフト１２の自由端１４と反対の方向に軸方向にフレアする開口部２４の周りに延びる。このようにして、最上層から除去された材料は、接続工程において接続要素１０を通過し、そのため、接続要素とスラグとの間に確実な適合を生成する。
【００５０】
図２は、図１に示す接続要素１０の斜視図である。図２で特に明確に見られるのは、接続要素１０の中央にある開口部２４である。この開口部２４は、接続工程で完全に満たされるので、堅い接続が保証される。開口部２４は、接続要素とベース層との間に確実な接続が確立されていない接続に特に有利であることが証明されている。
【００５１】
次に、図５ａ〜図５ｃを参照しながら、部品接続を生産する方法をより詳細に説明する。
【００５２】
図３、図３Ａおよび図３Ｂは、本発明による接続要素３０の別の実施形態を示す。図３Ａは、接続要素３０の図１のＡ−Ａ線に沿って切断した断面図である。この接続要素３０は、図１を参照して説明した接続要素１０に実質的に対応する。図３の実施形態は、この場合、ドライバ構造がリブ２２の形態ではなく、溝３２の形態であるという点で、図１の実施形態とは異なる。これは、シャフトをＢ−Ｂ線に沿って切断した断面図（図３Ｂ）で特によく見ることができる。
【００５３】
図４は、接続要素４０の別の実施形態を示しており、図１のように、シャフト４２を有するが、ドライブ４８は、カラー４４ではなく、カラー４４が設けられたヘッド４６上に配置されている。この実施形態では、ヘッド４６は、図４ＡのＡ−Ａ線に沿って切断した接続要素４０の断面図に示されるように、そのヘッド側端部で中空円筒形シャフト４２の端部を形成する。この実施形態では、最上層から切り出された材料は、接続要素から逃げることができない。この実施形態では、スラグに作用する力は、ヘッド４６を介して加えられる。
【００５４】
図４Ｂは、そのヘッド４６の閉じた表面を示す接続要素４０の斜視図である。
【００５５】
図５Ａ〜図５Ｃは、例えば図１に示すように、全体が中空である本発明による、ベース層５２、最上層５４および接続要素５８との間の接続を生産する方法の生産工程を例示する図である。
【００５６】
ベース層５２と最上層５４は、アンビル５６とセッティングユニットとの間に保持されている。
【００５７】
セッティングユニットは、接続要素５８を回転駆動するように適合されたドライブツール６０を備える。同時に、ドライブツールは、駆動方向において接続要素５８に軸方向接触圧力を加える。ドライブツール６０は、特に円錐形の中央バルジ６１を有し、接続要素５８に接触すると、接続要素５８の中空空間に突出する。これは、接続要素５８を最上層５４上に配置するように作用する。
【００５８】
図５Ｂは、本発明による部品接続の生産のための工程の図であり、接続要素５８は、回転および接触圧力下で最上層５４からスラグ６２を切り取り、そのスラグは、中空空間に収容される。スラグは、中空空間内に配置されたドライバ構造６４によって回転され、接触圧力および回転の下で、ベース層５２の材料と摩擦溶接された接合部を形成する。
【００５９】
図５Ｃは、接続要素がベース層５２をさらに貫通するにつれて上昇するスラグ６２の材料を示している。その材料は、ドライブツール６０まで上昇し、そこで、ドライブツールのバルジ６１によって横方向に変位する。結果として、スラグ６２は、そのヘッドエンドで円錐状に凹んでいる接続要素５８を介して確実な接続を生成する。このようにして、接続要素５８およびスラグ６２を介して、最上層５４とベース層５２との間に信頼できる接続が行われる。
【００６０】
図６Ａ〜図６Ｃは、部品接続を生産するための方法のさらなる実施形態を示しており、この方法は、図５Ａ〜図５Ｃを参照して説明したものと同様である。部品接続は、ベース層７２、その上に配置された最上層７４、および本発明による特に図４に示す接続要素７８を備える。接続要素７８は、ドライブが設けられたヘッド８０を有し、このヘッド８０は、接続要素７８の中空シャフト７６の端部を形成する。ベース層７２および最上層７４はアルミニウムで作られていることが好ましいが、接続要素７８は鋼で作られている。上記のように、接続要素７８は、好ましくは２０００ｒｐｍを超える速度で、好ましくは３ｋＮ未満の接触圧力で、第１の切断段階において最上層７４に打ち込まれる。したがって、スラグ８２は、最上層７４の材料から切り出され、側面の内側に形成された、好ましくは、要素中心軸Ｍに平行に延びるリブの形態をとるドライバ構造によって、接続要素７８の回転動作に巻き込まれ、次にその前面を介して最上層７４に溶接される。溶接は、前の切断段階で使用されたよりも高い接触圧力で実行されることが好ましい。ドライブツール（ここには示されていない）によって加えられた接触圧力は、接続要素のヘッドを介してスラグ８２に伝達される。さらに、図５Ｃは、ベース層７２とスラグ８２との間に形成された材料接続を伴う完全な接続を示しており、接続要素７８は、アンビル８４によってベース層７２を介して貫通するように変形され、リベット接続の場合のように、ベース層７２に位置するシャフト７６の端部が外側にフレアするように変形され、そのため、ベース層７２と最上層７４との間の設定方向において適合接続を確立する。リベット工程は、特に増加した接触圧力を使用して行われる。
【００６１】
したがって、摩擦溶接によってベース層７２に接続されたスラグ７８は、剪断の方向、すなわち、設定方向に対して横方向に、耐荷重能力が改善された接続を提供する。
【図１】
2021529671.tif 000003
【図１Ａ】
2021529671.tif 000004
【図１Ｂ】
2021529671.tif 000005
【図２】
2021529671.tif 000006
【図３】
2021529671.tif 000007
【図３Ａ】
2021529671.tif 000008
【図３Ｂ】
2021529671.tif 000009
【図４】
2021529671.tif 000010
【図４Ａ】
2021529671.tif 000011
【図４Ｂ】
2021529671.tif 000012
【図５Ａ】
2021529671.tif 000013
【図５Ｂ】
2021529671.tif 000014
【図５Ｃ】
2021529671.tif 000015
【図６Ａ】
2021529671.tif 000016
【図６Ｂ】
2021529671.tif 000017
【図６Ｃ】
2021529671.tif 000018
【国際調査報告】
2021529671.tif 000019
2021529671.tif 000020
2021529671.tif 000021
2021529671.tif 000022
2021529671.tif 000023
2021529671.tif 000024